(57)【要約】【課題】  この発明は、クッション部付箱を得ることを目的としたものである。【解決手段】  この発明は、中央部に物品載置板を設けた箱体の側壁上端に連結した縁と、前記物品載置板との間に所定幅の不連続切目を並列設置してクッション部を形成し、前記物品載置板に外力を加えることにより、前記クッション部が弾性的に変形できるようにしたことを特徴とするクッション付紙箱により目的を達成した。【選択図】      図１
2004307063.tif 000002
【特許請求の範囲】
【請求項１】
中央部に物品載置板を設けた箱体の側壁上端に連結した縁と、前記物品載置板との間に所定幅の不連続切目を並列設置してクッション部を形成し、前記物品載置板に外力を加えることにより、前記クッション部が弾性的に変形できるようにしたことを特徴とするクッション付紙箱。
【請求項２】
箱体は、所定幅の周側板を直角に曲げ、対向周側板の掛片を、隣接側板の切り込みに挿入掛止して四周側板を構成したことを特徴とする請求項１記載のクッション付紙箱。
【請求項３】
直方体状の箱体の対向する長側壁の上端縁と、内側中央部の物品載置板との間に、所定幅の不連続切目を並列設置してクッション部を形成し、前記物品載置板に外力を加えることにより、前記クッション部が弾性的にＵ字状に変形できるようにしたことを特徴とするクッション付紙箱。
【請求項４】
中央部に物品載置板を設けた箱体の側壁上端に連結した縁と、前記物品載置板との間に所定幅の不連続切目を並列設置してクッション部を形成し、前記物品載置板に外力を加えることにより、前記クッション部が弾性的に変形できるようにし、前記箱体の複数個を並列連結したことを特徴とするクッション付紙箱。
【請求項５】
箱体の外形を正方形、矩形、三角形またはその他の多角形としたことを特徴とする請求項１乃至４の何れか１項記載のクッション付紙箱。
【請求項６】
箱体の上縁部と、クッション部とを吊帯で連結したことを特徴とする請求項１乃至４の何れか１項記載のクッション付紙箱。
【請求項７】
板紙の周縁に所定幅の縁部を設け、中央部に１または複数の物品載置板を設けると共に、前記縁部の内縁と、物品載置板の外縁との間の板紙に不連続切目を縁部と平行に設けてなる仕切板を紙箱内へ浮かせて収容したことを特徴とするクッション仕切板付紙箱。
【請求項８】
板紙の周縁に所定幅の縁部を設け、中央部に１または複数の物品載置板を設けると共に、前記縁部の内縁と、物品載置板の外縁との間の板紙に不連続切目を縁部と平行に設けてなる仕切板の対向両縁を下方へ直角に折り曲げて支え壁とし、前記仕切板を紙箱内へ収容したことを特徴とするクッション仕切板付紙箱。
【請求項９】
外装箱とその内側へ収容するクッション部を形成した物品載置箱とを組み合せた紙箱において、物品載置箱の載置部に伸縮変形可能になるように、不連続切目を設け、載置すべき物品の外形に合せて、均等載置圧に弾性変形できるように前記不連続切目の長さと切目間隔を定めたことを特徴とするクッション付紙箱。
【発明の詳細な説明】
【技術分野】
【０００１】
この発明は、クッションを介して物品を安定支持し、かつ物品を包装することを目的としたクッション付紙箱及びクッション仕切板付紙箱に関する。
【背景技術】
【０００２】
従来板紙に、その縁部と平行に不連続切目を入れた梱包材が知られていた。
【特許文献１】特開平１１−３３４７７８
【特許文献２】特開平７−１７２４５９
【発明の開示】
【発明が解決しようとする課題】
【０００３】
従来知られている梱包材は、クッション材を目的としたもの、又は袋などとして包装したものであったから、物品を外力から護るクッション材（衝撃吸収）ではあるけれども、包装全体を一定の外形に保つことができない問題点があった。
【課題を解決するための手段】
【０００４】
この発明は、箱体の側壁上端縁と物品載置部との間に不連続切目を入れてクッション部を設けた包装箱又はクッション部を有する仕切板を箱体と組み合わせて前記従来の問題点を解決したものである。
【０００５】
即ち、この発明は、中央部に物品載置板を設けた箱体の側壁上端に連結した縁と、前記物品載置板との間に所定幅の不連続切目を並列設置してクッション部を形成し、前記物品載置板に外力を加えることにより、前記クッション部が弾性的に変形できるようにしたことを特徴とするクッション付紙箱であり、箱体は、所定幅の周側板を直角に曲げ、対向周側板の掛片を、隣接側板の切り込みに挿入掛止して四周側板を構成したことを特徴とするものである。
【０００６】
また、直方体状の箱体の対向する長側壁の上端縁と、内側中央部の物品載置板との間に所定幅の不連続切目を並列設置してクッション部を形成し、前記物品載置板に外力を加えることにより、前記クッション部が弾性的にＵ字状に変形できるようにしたことを特徴とするクッション付紙箱であり、中央部に物品載置板を設けた箱体の側壁上端に連結した縁と、前記物品載置板との間に所定幅の不連続切目を並列設置してクッション部を形成し、前記物品載置板に外力を加えることにより、前記クッション部が弾性的に変形できるようにし、前記箱体の複数個を並列連結したことを特徴とするクッション付紙箱である。
【０００７】
次に、箱体の外形を正方形、矩形、三角形またはその他の多角形としたことを特徴とするものであり、箱体の上縁部と、クッション部とを吊帯で連結したことを特徴とするものである。
【０００８】
更に、板紙の周縁に所定幅の縁部を設け、中央部に１または複数の物品載置板を設けると共に、前記縁部の内縁と、物品載置板の外縁との間の板紙に不連続切目を縁部と平行に設けてなる仕切板を紙箱内へ浮かせて収容したことを特徴とするクッション仕切板付紙箱であり、板紙の周縁に所定幅の縁部を設け、中央部に１または複数の物品載置板を設けると共に、前記縁部の内縁と、物品載置板の外縁との間の板紙に不連続切目を縁部と平行に設けてなる仕切板の対向両縁を下方へ直角に折り曲げて支え壁とし、前記仕切板を紙箱内へ収容したことを特徴とするクッション仕切板付紙箱である。
【０００９】
また、外装箱とその内側へ収容するクッション部を形成した物品載置箱とを組み合せた紙箱において、物品載置箱の載置部に伸縮変形可能になるように、不連続切目を設け、載置すべき物品の外形に合せて、均等載置圧に弾性変形できるように前記不連続切目の長さと切目間隔を定めたことを特徴とするクッション付紙箱である。
【００１０】
前記発明において、不連続切目は、千鳥状に配置すると共に、側壁と平行に設けることが望ましい。
【００１１】
この発明の箱体は、組立箱が好ましい。何故ならば、格納又は輸送中は小さい嵩となり、使用時に組み立てて箱となることが好ましいからである。
【００１２】
板紙を組み立てて箱体とする構造は色々と提案されているが、この発明の専用構造でなくても、従来の組立箱体の技術を採用することもできる。
【００１３】
また、この発明における切り込み相互の幅、又は長さは適宜定めるが、幅が小さいと強度が劣ることもあるので、通常２ｍｍ以上が好ましく、広きに失すると、クッション性の低下、変形、自由度の変化などがあるので、小さい箱（１０ｃｍ×１０ｃｍ）位では幅１０ｍｍ以下が好ましい。
【００１４】
切り込みの長さについても、箱の形状、必要とする深さなどにより異なるが、通常１０ｍｍ〜４０ｍｍ位が好ましい。
【００１５】
この発明は、適度のクッション性と、物品載置時の安定性を基準として幅及び切り込み長さを定める。この発明の材質は板紙であり、ときには合成樹脂フィルムのこともある。
【発明の効果】
【００１６】
この発明によれば、箱体にクッション部を連結し、又はクッション部付仕切板を箱体内へ嵌入固定したので、物品を適度のクッションのもとに安定保持できる効果がある。
【００１７】
また、クッション部と箱との直結によって安定性が良く、外力により多少の動揺があっても、物品を安定保持し得る効果がある。
【発明を実施するための最良の形態】
【００１８】
この発明は、中央部に物品載置板を設け、箱体の側壁上端に連結した縁と、前記物品載置板との間に所定幅の不連続切目を並列設置して、この発明のクッション付紙箱を得た。前記物品載置板の面積には限定なく、物品を安定支持できる大きさとする。
【００１９】
前記紙箱を横方向に連結しても同様である。この発明は、通常の箱にクッション付の仕切板をセットして構成することもできる。
【００２０】
また、前記クッション付紙箱を複数個連結することもできる。前記紙箱は、何れも組立方式により箱体とするもので、格納中または輸送中は板紙であり、使用時に組み立てるので、比較的嵩を小さくすることができる。
【実施例１】
【００２１】
この発明の実施例を図１、２、３に基づいて説明すると、ほぼ六角形の物品載置板１の外周部へ、六角形の各片に平行な切目２、２を所定間隔（例えば、５ｍｍ間隔）で２０ｍｍ〜５０ｍｍの長さに設け、外周部に所定幅の縁部３、３の折目５、５を介して、側板４、４ａを連結し、該側板４の両側に連設した係止片６を、他側板４ａに設けた掛止切込み７に挿入掛止して側壁を形成し、この発明のクッション付紙箱１０を形成した。
【００２２】
前記実施例においては、物品８の載置板１の外周を六角形としたが、この形状に制限を受けるものではない。
【００２３】
この発明において、物品載置板１に物品８を載置すると、クッション部９は、図２のように、物品８の自重により矢示１１のように載置板が沈下するので、物品を安定保持することができる。
【００２４】
従って、物品載置板１の外形状を物品８に合致させることにより、一層安定性が良好になるが、元来物品８と、物品載置板１の形状、面積には制約がない。
【実施例２】
【００２５】
この発明の他の実施例を図４について説明する。図４の実施例は、円形の物品載置板１２を採用し、該物品載置板１２の外縁と、箱体１４の四周の側壁１５、１５との間に複数の不連続な切り込み１６、１６を並列設置し、最外側の切り込みのない部分（連結部１７）により、前記側壁１５の上縁と連結したもので、図中１８は箱２０の頂板ある。
【００２６】
前記実施例において、物品載置板１２は、連結部１７で吊り下げられると共に、切り込み１６、１６によって十分のクッション性を有し、物品１９の重量とクッション部の吊り下げ支持力の釣り合いによって安定性は保持されている。
【実施例３】
【００２７】
この発明の他の実施例を図５に基づいて説明すると、物品載置板２１と、箱体２２の上縁２３との間に、箱体２２の側壁と平行な切り込み２４、２４を等間隔に並列設置してこの発明のクッション付紙箱２５を構成した。
【００２８】
この実施例は開口部が矩形となっているクッション付紙箱２５を示すものである。
【実施例４】
【００２９】
この発明の他の実施例を図６、７に基づいて説明すると、物品載置板２６と、箱体２７の側壁２８の上端縁との間に、複数の切り込み２９、２９を設けてクッション部を形成し、前記側壁２８と、クッション部とを連結片３１、３１で連結し、前記箱体２７を、その側壁部で隣接の箱体２７ａと連結し、同様にして箱体２７ｂとも順次連結し、この発明のクッション付紙箱３０を構成した。
【００３０】
次に、図７の実施例は、箱体３２を三角形としたもので、他は同一構造である。
【００３１】
即ち、物品載置板３３と、箱体３２の側壁３４の上縁との間に複数の切り込み３６を並列設置し、前記側壁３４の上部と、クッション部とを連結片３７で連結し、この発明のクッション付紙箱３５を構成した。
【実施例５】
【００３２】
この発明の他の実施例を図８について説明すると、板紙３８の中央部へ多角形の物品載置部３９を設け、該物品載置板３９と、折目４３を介して設けた外側支板４０、４０との間に、多角形の外縁と平行な切り込み４１、４１を不連続的に並列設置してクッション付仕切板４２を形成する。前記クッション付仕切板４２を折目４３から直角に折り曲げて支板４６を形成し、前記仕切板４２を箱４４へ収容し、この発明のクッション仕切板付紙箱４５ができる。前記箱４４と、仕切板４２との関係は色々あるが、例えば、寸法的に仕切板４２が自由摺動しないように嵌め合わさせてある。
【実施例６】
【００３３】
この発明の他の実施例を図９に基づいて説明する。図９は、図１の実施例の一部を変えたものであるから、同一部分には同一符号を用いた。方形板紙１３の中央部へほぼ六角形の物品載置板１を設け、その外周部と、前記方形板紙１３の四周へ設けた側板４、４ａの折目５、５との間に、六角帯状部１ａを設け、前記折目５、５と、六角帯状部１ａの外縁及び六角帯状部１ａの内縁と、前記物品載置板１の外縁との間に六角の各辺に平行な切目２、２ａを設けたもので、図中６は係止片、７は係止切り込みである。
【００３４】
この実施例と、実施例１とは、六角帯状部１ａの有無が異なるのみであるから、実施例１、６はクッション性が多少異なることになり、その他は同一作用効果を有する。
【実施例７】
【００３５】
この発明の他の実施例を図１０に基づいて説明する。箱体４７の対向側板４８、４８の下縁を折り曲げて、補助側板４９、４９を前記側板４８、４８より高く突出させ、折目５０、５０により縁片５１、５１を形成する。
【００３６】
前記側板４８、４８と直角な対向側板４８ａ、４８ａの上縁５８と、物品載置板５２との間に切目５３、５３を断続的、かつ前記上縁と平行に設ける。
【００３７】
また、前記側板４８ａ、４８ａの中間部に切り込み部５４、５４、５４ａ、５４ａを対向して設け、該切り込み部５４、５４、５４ａ、５４ａを帯状片５５、５５ａで連結し、前記帯状片５５、５５ａと、側板４８ａ、４８ａの中間部へ物品載置板５２ａ、５２ｂを設け、前記帯状片５５、５５ａと、物品載置板５２ａ、５２ｂ及び側板４８ａ、４８ａの上縁との間に、上縁と平行な切目５３、５３を断続的に設けて、クッション付紙箱６０を構成した。
【００３８】
前記実施例は、実質的に、図５の実施例のクッション付紙箱２５を並列連結したものに相当する。
【実施例８】
【００３９】
この発明の他の実施例を図１１、１２、１３、１４図に基づいて説明する。外装箱６１内へ、化粧箱８１を介してボトル６２を弾性支持できる載置箱６３を内装してこの発明のクッション付紙箱７０を構成した。前記化粧箱の内装によって商品に見合う外観を得ることができる。
【００４０】
前記載置箱６３は、矩形の紙板６４の中央部６５ａへ長手方向に平行して、図１１中、中部６５を残し、その上下に多数の不連続切目６５、６５を対称的に設ける。この不連続切目６５は、弾性変形の大きい位置（Ａ部）を長くし（変形量が多い）、弾性変形の小さい位置（Ｂ部）を短く（変形量が少ない）してある。前記は壜を支持する場合で、首部と、胴部の変形量に対応している。
【００４１】
前記紙板６４の前後左右は、通常の箱体の側板を形成している。
【００４２】
前記紙板６４の弾性変形する中央部６５ａの左右（図１１）に、折目線６６、６６を介して中側板６７、６７を連設し、中央部６５ａの前後に、折目線６８、６８を介して側板６９、６９を連設すると共に、折目線７１、７１を介して返し側板７２、７２を連設し、折目線７６、７６を介して外側板７７、７７を連設する。図中７３、７３は挿入片、７４、７４は中側板に設けた係止溝、７５、７５は側板６９、６９と、中側板６７、６７との連結部、７８、７８は折目線、６５ｃは支持片である。
【００４３】
前記実施例の左右側板（図１４（ｂ））の組立てについて説明すると、図１２（ａ）において、中側板６７を矢示８０のように下方へ直角に折り曲げて中側板を水平面とほぼ直角にし（図１２（ｂ））、ついで返し側板７２を矢示７９のように前記中側板６７の内側になるように１８０度折り曲げた後、外側板７７を１８０度折り曲げて、その挿入片７３を、中側板６７の係止溝７４に挿入係止すれば、この発明の載置箱の側板の組立てを完了する（図１２（ｄ））。
【００４４】
前記組立ては、図１４（ｂ）の左側板について説明したが、右側板についても全く同一に付、説明を省略する。
【００４５】
この実施例によれば、ボトル６２の首部を支持する位置は弾性変形を小さくし、胴部を支持する位置は弾性変形を大きくしてほぼ等圧段差支持ができるようにしたものである。
【００４６】
この実施例は、外装箱６１内へ載置箱６３を内装するので、二枚の紙板を使用して、夫々の目的に合った形状模様及び作用効果を奏することになり、内容物品の安定保持と、内装の充実により高級感及び安定支持感の両方を達成することができる。
【図面の簡単な説明】
【００４７】
【図１】この発明の実施例の展開平面図。
【図２】同じくクッション部を含む縦断端面図。
【図３】（ａ）同じく完成状態の斜視図、（ｂ）同じく側壁構成例の一部斜視図。
【図４】同じく他の実施例の斜視図。
【図５】（ａ）同じく他の実施例の一部を切断した斜視図、（ｂ）同じく一部断面の端面図。
【図６】同じく他の実施例の斜視図。
【図７】（ａ）同じく仕切板を用いた実施例の一部を切断した斜視図、（ｂ）同じく平面図。
【図８】同じく他の実施例の一部を切断した斜視図。
【図９】同じくクッション部を不均等にした実施例の展開平面図。
【図１０】同じく他の実施例の一部を切断した斜視図。
【図１１】同じく他の実施例の載置箱の一部を省略した展開平面図。
【図１２】（ａ）同じく載置箱を組立て前の一部斜視図、（ｂ）同じく組立て中途の一部斜視図、（ｃ）同じく組立て中途の一部斜視図、（ｄ）同じく組立て完了の一部。
【図１３】同じくボトル載置時の説明図。
【図１４】（ａ）同じくボトル載置時の縦断した説明図、（ｂ）同じく外装箱と載置箱の状態を示す一部を省略した説明図。
【符号の説明】
【００４８】
１  物品載置板
２  切り込み
３  縁部
４  側板
５  折目
６  係止片
７  切り込み
８  物品
９  クッション部
１０、２０  箱
２１  物品載置板
【図１】
2004307063.tif 000003
【図２】
2004307063.tif 000004
【図３】
2004307063.tif 000005
【図４】
2004307063.tif 000006
【図５】
2004307063.tif 000007
【図６】
2004307063.tif 000008
【図７】
2004307063.tif 000009
【図８】
2004307063.tif 000010
【図９】
2004307063.tif 000011
【図１０】
2004307063.tif 000012
【図１１】
2004307063.tif 000013
【図１２】
2004307063.tif 000014
【図１３】
2004307063.tif 000015
【図１４】
2004307063.tif 000016